(57)【要約】【課題】地盤に形成され、上方に向かって開口する凹形状の廃棄物用埋立域と、埋立域の縁部の法面に敷設される遮水シートとを備えた廃棄物処分場において、遮水シートに熱膨張による弛みが生じることに因り遮水シートが早期に損傷する、ということを防止して、遮水シートの寿命の向上を達成する。【解決手段】廃棄物処分場は、地盤３に形成され、上方に向かって開口する凹形状の廃棄物２用埋立域４と、埋立域４の縁部の法面５に敷設される遮水シート７とを備える。遮水シート７の内側に圧縮空気２４を送り込んで、遮水シート７を外方に膨出可能とさせる送風装置２５を設ける。埋立域４に廃棄物２を投入する際、遮水シート７を膨出させて、遮水シート７の弛み７ｂを除去可能にする。【選択図】図１
2010125413.tif 000002
【特許請求の範囲】
【請求項１】
地盤に形成され、上方に向かって開口する凹形状の廃棄物用埋立域と、この埋立域の縁部の法面に敷設される遮水シートとを備えた廃棄物処分場において、
上記遮水シートの内側に圧縮空気を送り込んで、この遮水シートを外方に膨出可能とさせる送風装置を設け、上記埋立域に廃棄物を投入する際、上記遮水シートを膨出させて、この遮水シートの弛みを除去可能にしたことを特徴とする廃棄物処分場における埋立補助装置。
【請求項２】
上記地盤内の水を廃棄物処分場の外部に排水する排水パイプを設けた廃棄物処分場において、
上記排水パイプを通し上記圧縮空気を上記遮水シートの内側に送り込むようにしたことを特徴とする請求項１に記載の廃棄物処分場における埋立補助装置。
【請求項３】
上記遮水シートが上、下層シートを備えて袋形状とされ、これら上、下層シートの間の空間に上記圧縮空気を送り込むようにしたことを特徴とする請求項１、もしくは２に記載の廃棄物処分場における埋立補助装置。
【請求項４】
上記法面の上部と、この法面の上部に対面する上記遮水シートの外縁部との間に、上記圧縮空気の注入によって膨張可能なチューブを介設したことを特徴とする請求項１に記載の廃棄物処分場における埋立補助装置。
【発明の詳細な説明】
【技術分野】
【０００１】
本発明は、地盤に形成され、上方に向かって開口する凹形状の廃棄物用埋立域と、この埋立域の縁部の法面に敷設される遮水シートとを備えた廃棄物処分場における埋立補助装置に関するものである。
【背景技術】
【０００２】
上記廃棄物処分場には、従来、下記特許文献１に示されるものがある。この公報のものによれば、上記廃棄物処分場は、地盤に形成され、上方に向かって開口する凹形状の廃棄物用埋立域と、この埋立域の縁部の法面と中央部側の底面との全体にわたり敷設される遮水シートと、上記埋立域の外縁部に上記遮水シートの外縁部を固定する固定具とを備えている。
【０００３】
そして、上記遮水シートにより形成された凹所内に廃棄物が次々と投入されて、上記埋立域の埋立てが行われることにより、上記廃棄物が最終処分される。
【特許文献１】特許第３０３３４０２号公報
【発明の開示】
【発明が解決しようとする課題】
【０００４】
ところで、上記遮水シートは、通常、樹脂製であって、その熱膨張係数は２．０×１０−４／℃程度である。つまり、５０℃の温度上昇により、１％程度の大きい弛みが生じることとなる。
【０００５】
このため、例えば、廃棄物処分場の建設において、上記埋立域への遮水シートの敷設を冬期に行い、その後、夏季に達した場合には、その季節変化による温度上昇に伴い上記遮水シートには大きい弛みが生じがちとなる。
【０００６】
ここで、上記埋立域の縁部の法面は、上記埋立域の外縁部を形成する法面肩部と、この法面肩部から上記埋立域の底面に向かって斜め下方に延びる法面傾斜面部とを備えている。このため、上記法面に敷設された遮水シートに上記した弛みが生じるとき、上記遮水シートの各部の自重により、上記法面傾斜面部の下部側に位置する遮水シートの下部に上記弛みが集中的に大きく生じがちとなる。
【０００７】
そして、上記したように、法面に敷設された遮水シートの下部に弛みが生じた状態で、この遮水シートにより形成された凹所内に廃棄物を投入すると、この廃棄物からの荷重が上記弛みに与えられる。すると、この弛みに与えられた荷重により、上記法面の上部側に位置する遮水シートの上部が下方に引張されて、この上部に大きい引張応力が生じがちとなる。この結果、この遮水シートが早期に損傷するという寿命上の問題点を生じるおそれがある。
【課題を解決するための手段】
【０００８】
本発明は、上記のような事情に注目してなされたもので、本発明の目的は、地盤に形成され、上方に向かって開口する凹形状の廃棄物用埋立域と、この埋立域の縁部の法面に敷設される遮水シートとを備えた廃棄物処分場において、上記遮水シートに熱膨張による弛みが生じることに因りこの遮水シートが早期に損傷する、ということを防止して、この遮水シートの寿命の向上を達成することである。
【０００９】
また、本発明の他の目的は、廃棄物処分場における埋立補助装置の構成を、より簡単にできるようにすることである。
【００１０】
請求項１の発明は、地盤３に形成され、上方に向かって開口する凹形状の廃棄物２用埋立域４と、この埋立域４の縁部の法面５に敷設される遮水シート７とを備えた廃棄物処分場において、
上記遮水シート７の内側に圧縮空気２４を送り込んで、この遮水シート７を外方に膨出可能とさせる送風装置２５を設け、上記埋立域４に廃棄物２を投入する際、上記遮水シート７を膨出させて、この遮水シート７の弛み７ｂを除去可能にしたことを特徴とする廃棄物処分場における埋立補助装置である。
【００１１】
請求項２の発明は、上記地盤３内の水を廃棄物処分場１の外部に排水する排水パイプ１６を設けた廃棄物処分場において、
上記排水パイプ１６を通し上記圧縮空気２４を上記遮水シート７の内側に送り込むようにしたことを特徴とする請求項１に記載の廃棄物処分場における埋立補助装置である。
【００１２】
請求項３の発明は、上記遮水シート７が上、下層シート１１，１２を備えて袋形状とされ、これら上、下層シート１１，１２の間の空間１４に上記圧縮空気２４を送り込むようにしたことを特徴とする請求項１、もしくは２に記載の廃棄物処分場における埋立補助装置である。
【００１３】
請求項４の発明は、上記法面５の上部と、この法面の上部に対面する上記遮水シート７の外縁部７ａとの間に、上記圧縮空気２４の注入によって膨張可能なチューブ３６を介設したことを特徴とする請求項１に記載の廃棄物処分場における埋立補助装置である。
【００１４】
なお、この項において、上記各用語に付記した符号や図面番号は、本発明の技術的範囲を後述の「実施例」の項や図面の内容に限定解釈するものではない。
【発明の効果】
【００１５】
本発明による効果は、次の如くである。
【００１６】
請求項１の発明は、地盤に形成され、上方に向かって開口する凹形状の廃棄物用埋立域と、この埋立域の縁部の法面に敷設される遮水シートとを備えた廃棄物処分場において、
上記遮水シートの内側に圧縮空気を送り込んで、この遮水シートを外方に膨出可能とさせる送風装置を設け、上記埋立域に廃棄物を投入する際、上記遮水シートを膨出させて、この遮水シートの弛みを除去可能にしている。
【００１７】
ここで、上記法面に敷設された遮水シートが熱膨張して弛みが生じるとき、この遮水シートの各部の自重により、上記法面の下部側に位置する遮水シートの下部に上記弛みが集中的に大きく生じがちとなる。
【００１８】
そこで、上記のように遮水シートに弛みが生じた場合において、上記埋立域に廃棄物を投入する際には、上記送風装置により上記遮水シートの内側に圧縮空気を送り込んで、上記遮水シートを外方に膨出させ、上記弛みを除去する。
【００１９】
そして、上記のように弛みを除去した状態で、上記埋立域に廃棄物を投入してやれば、投入された廃棄物が弛みに荷重を与えて上記法面の上部側に位置する遮水シートの上部を下方に引張し、この上部に大きい引張応力を生じさせる、ということは防止される。よって、上記遮水シートが早期に損傷することが防止されて、遮水シートの寿命の向上が達成される。
【００２０】
請求項２の発明は、上記地盤内の水を廃棄物処分場の外部に排水する排水パイプを設けた廃棄物処分場において、
上記排水パイプを通し上記圧縮空気を上記遮水シートの内側に送り込むようにしている。
【００２１】
このため、上記遮水シートの内側に上記圧縮空気を送り込むために、排水パイプが利用された分、上記埋立て補助装置の構成を、より簡単にできる。
【００２２】
請求項３の発明は、上記遮水シートが上、下層シートを備えて袋形状とされ、これら上、下層シートの間の空間に上記圧縮空気を送り込むようにしている。
【００２３】
ここで、上記上、下層シートの間の空間は密閉状とされるものである。このため、上記遮水シートを外方に膨出させるための圧縮空気は、上記空間の外部への無用な漏出が防止されて、上記圧縮空気の量を必要最小限に近づけることができる。よって、その分、上記送風装置の送風機の容量を、より小さくできて、埋立て補助装置の構成を更に簡単にできる。
【００２４】
請求項４の発明は、上記法面の上部と、この法面の上部に対面する上記遮水シートの外縁部との間に、上記圧縮空気の注入によって膨張可能なチューブを介設している。
【００２５】
つまり、上記埋立域に廃棄物を投入する場合には、上記送風装置により、上記遮水シートの内側である上記チューブに圧縮空気を送り込んで膨張させる。すると、この膨張したチューブにより、上記遮水シートが外方に膨出させられ、上記弛みが除去される。
【００２６】
ここで、上記チューブ内の空間は密閉状であると共に、その容積は小さいものである。このため、上記圧縮空気の量は少量で足りる。よって、その分、上記送風装置の送風機の容量を、更に小さくできて、埋立て補助装置の構成を更に簡単にできる。
【発明を実施するための最良の形態】
【００２７】
本発明の廃棄物処分場における埋立補助装置に関し、地盤に形成され、上方に向かって開口する凹形状の廃棄物用埋立域と、この埋立域の縁部の法面に敷設される遮水シートとを備えた廃棄物処分場において、上記遮水シートに熱膨張による弛みが生じることに因りこの遮水シートが早期に損傷する、ということを防止して、この遮水シートの寿命の向上を達成する、という目的を実現するため、本発明を実施するための最良の形態は、次の如くである。
【００２８】
即ち、廃棄物処分場は、地盤に形成され、上方に向かって開口する凹形状の廃棄物用埋立域と、この埋立域の縁部の法面に敷設される遮水シートとを備える。上記遮水シートの内側に圧縮空気を送り込んで、この遮水シートを外方に膨出可能とさせる送風装置を設け、上記埋立域に廃棄物を投入する際、上記遮水シートを膨出させて、この遮水シートの弛みを除去可能にしている。
【実施例１】
【００２９】
本発明をより詳細に説明するために、その実施例１を添付の図１，２に従って説明する。
【００３０】
図１，２において、符号１は廃棄物２を埋立てて最終処分するための廃棄物処分場である。この廃棄物処分場１は、地盤３に形成され、上方に向かって開口する凹形状の廃棄物２用埋立域４と、この埋立域４の縁部の内面を形成する法面５と中央部側の内面を形成する底面６との全体にわたり連続的に敷設される遮水シート７と、上記埋立域４の外縁部に上記遮水シート７の外縁部７ａを固定する固定具８とを備えている。
【００３１】
そして、上記遮水シート７により形成された凹所９内に廃棄物２が次々と投入されて、埋立てが行われることにより、上記廃棄物２が最終処分可能とされる。
【００３２】
上記法面５は、上記埋立域４の外縁部に位置して、ほぼ水平に延びる法面肩部５ａと、この法面肩部５ａから上記埋立域４の底面６に向かって斜め下方に延びる法面傾斜面部５ｂとを備えている。
【００３３】
上記遮水シート７は、上下方向で互いに対面する上、下層シート１１，１２を備えて袋形状とされた多数の遮水ユニット１３を備えている。そして、これら遮水ユニット１３は上記埋立域４の内面（法面５、底面６）に沿って連続的に敷設されている。上記各遮水ユニット１３の内部の空間１４は密閉状空間とされ、互いに並設される両遮水ユニット１３同士の間は熱溶着などにより強固に、かつ、密に閉じられている。
【００３４】
上記上、下層シート１１，１２は、熱可塑性の高密度ポリエチレン（ＨＤＰＥ）、もしくは塩化ビニール（ＰＶＣ）、その他、ＥＰＤＭ、ＴＰＯ、ＴＰＵ、ＦＰＡ、アスファルトシートなどの樹脂製であり、厚さはほぼ１．５ｍｍ以上で、通常はほぼ３ｍｍとされている。また、上記各樹脂の熱膨張係数（×１０−４／℃）は、概ね次の如くである。ＨＤＰＥ＝１．９、ＰＶＣ＝１．８、ＥＰＤＭ＝１．６、ＴＰＯ＝２．１、ＴＰＵ＝１．６、ＦＰＡ＝１．０、アスファルトシート＝１．４である。
【００３５】
また、図示しないが、一般的に、上記上、下層シート１１，１２を上下から挟むように上、下保護シートが設けられると共に、上記上、下層シート１１，１２の間に中間保護シートが介設される。上記各保護シートは、それぞれポリエステル樹脂の不織布製とされ、厚さはほぼ１０ｍｍとされる。
【００３６】
上記法面肩部５ａには、この法面肩部５ａに沿うよう凹溝１５が形成されている。この凹溝１５の内面に沿うようこの凹溝１５に上記遮水シート７の外縁部７ａが嵌め込まれ、この遮水シート７の外縁部７ａは断面がＵ字形状とされている。そして、この遮水シート７の外縁部７ａの内部にコンクリートが打設され、これが上記固定具８とされる。
【００３７】
また、図示しないが、上記遮水シート７の外縁部７ａを形成している上、下層シート１１，１２の両端縁部は、その断面が袋形状となるよう強固に接合される。もしくは、上記上、下層シート１１，１２の両端縁部の間にアスファルトマスチックといわれる遮水材が熱溶融状態で注入され、その後固化されて、上記両端縁部が互いに強固に一体化される。
【００３８】
上記埋立域４の底面６を形成する地盤３の内部に埋入され、この地盤３内に生じる水を廃棄物処分場１の外部に排水する排水パイプ１６が設けられている。また、遮水シート７の凹所９に生じた水を廃棄物処分場１の外部に排水する他の排水パイプ１７が設けられている。また、上記遮水シート７の凹所９で廃棄物２から生じるガス１９を廃棄物処分場１の外部に排気するガス抜きパイプ２０が設けられている。
【００３９】
上記排水パイプ１６と、廃棄物２に埋入される上記ガス抜きパイプ２０の各管壁の各部分にはその内外を連通させて水やガスを通過させる小孔が多数形成されている。また、これら小孔の目詰まりを防止するために、上記各パイプ１６，２０を全体的に覆う砂、小石等で構成された通水、通気性被覆材２１が設けられている。
【００４０】
上記遮水シート７の凹所９に廃棄物２を投入して、埋立てを行う場合に、この埋立てを補助する埋立て補助装置２３が設けられている。この埋立て補助装置２３は、上記遮水シート７の内側に圧縮空気２４を送り込んで、この遮水シート７を外方に膨出（図１中一点鎖線）可能とさせる送風装置２５を備えている。この送風装置２５は、送風機２６と、この送風機２６から吐出される圧縮空気２４を上記遮水シート７の内側であるこの遮水シート７と法面５との間の空間２７などに送り込む送風パイプ２８と、図示しないが、上記空間２７内の圧縮空気２４の圧力が所定圧以下に維持されるよう上記圧縮空気２４の圧力を調整する調圧弁（リリーフ弁）とを備えている。
【００４１】
また、上記送風パイプ２８は、上記送風機２６の吐出口から上記空間２７に直接連通する第１パイプ３０と、上記吐出口から上記排水パイプ１６に連通し、この排水パイプ１６を利用して上記空間２７に連通する第２パイプ３１と、上記吐出口から上記ガス抜きパイプ２０に連通する第３パイプ３２とを備えている。
【００４２】
また、上記第１〜第３パイプ３０〜３２にはそれぞれバルブ３３が取り付けられている。そして、これらバルブ３３のうち、少なくともいずれか１つのバルブ３３を開弁させれば、開弁したバルブ３３と、これに連通するパイプとを通し、圧縮空気２４が上記空間２７やガス抜きパイプ２０に対し選択的に送り込まれる。
【００４３】
上記送風装置２５により上記遮水シート７の内側である空間２７に圧縮空気２４を送り込めば、図１中一点鎖線で示すように上記遮水シート７がその外方に膨出可能とされている。
【００４４】
ここで、上記法面５に敷設された遮水シート７が熱膨張して弛み７ｂが生じるとき、この遮水シート７の各部の自重により、上記法面傾斜面部５ｂの下部側に位置する遮水シート７の下部に上記弛み７ｂが集中的に大きく生じがちとなる。
【００４５】
そこで、上記のように遮水シート７に弛み７ｂが生じた場合において、上記埋立域４に廃棄物２を投入する際には、上記送風装置２５により上記遮水シート７の内側である空間２７に圧縮空気２４を送り込んで、図１中一点鎖線で示すように上記遮水シート７を外方に膨出させ、上記弛み７ｂを除去する。
【００４６】
そして、上記のように弛み７ｂを除去した状態で、上記埋立域４に廃棄物２を投入してやれば（図１，２中二点鎖線）、投入された廃棄物２が弛み７ｂに荷重Ｌを与えて上記法面５の上部側に位置する遮水シート７の上部を下方に引張し、この上部に大きい引張応力を生じさせる、ということは防止される。よって、上記遮水シート７が早期に損傷することが防止されて、遮水シート７の寿命の向上が達成される。
【００４７】
また、上記遮水シート７の上部に生じる引張応力が小さく抑制される分、上記遮水シート７の外縁部７ａを上記埋立域４の外縁部（法面肩部５ａ）に固定する固定具８をより小型かつ軽量にでき、つまり、廃棄物処分場１の構成を、より簡単にできる。
【００４８】
ここで、上記廃棄物処分場１における遮水シート７は極めて面積が広いものである。このため、この遮水シート７のいずれかの部位に貫通傷が生じているとしても、これを目視で発見することは極めて困難である。
【００４９】
しかし、上記したように、遮水シート７を外方に膨出させて弛み７ｂを除去しようとして、上記空間２７に圧縮空気２４を送り込むとき、仮に、上記遮水シート７に貫通傷が生じているとすると、この貫通傷を通し上記圧縮空気２４の少なくとも一部分は外部に排出される。
【００５０】
このため、上記したように遮水シート７を膨出させる際、第１に、この遮水シート７に所望の膨出状態が得られるなくなることから、上記貫通傷が発生していることが感知される。また、第２に、上記貫通傷の発生位置は、上記した圧縮空気２４の排出に伴う水煙、塵埃飛散の発生や、石けん水を用いたことによる泡の発生により検知される。よって、上記した遮水シート７の膨出による弛み７ｂの除去作業時に、上記貫通傷の発見と、その閉塞のための補修とを容易かつ確実にすることができて、埋立域４への廃棄物２の埋立作業上極めて有益である。
【００５１】
なお、上記埋立域４への廃棄物２の投入を中断や中止する場合には、上記送風装置２５を停止させればよい。
【００５２】
また、前記したように、地盤３内の水を廃棄物処分場１の外部に排水する排水パイプ１６を設けた廃棄物処分場において、
上記排水パイプ１６と被覆材２１とを通し上記圧縮空気２４を上記遮水シート７の内側である空間２７に送り込むようにしている。
【００５３】
このため、上記遮水シート７の内側に上記圧縮空気２４を送り込むために、排水パイプ１６が利用された分、上記埋立て補助装置２３の構成を、より簡単にできる。
【００５４】
一方、上記埋立域４への廃棄物２の投入により、遮水シート７の凹所９内には水を含む廃棄物２が貯留されることとなる。そして、この場合、上記廃棄物２には嫌気性生物が発生して無用なガスが生じがちとなる。そこで、上記ガス抜きパイプ２０と第３パイプ３２との利用により、上記遮水シート７の凹所９内の廃棄物２に圧縮空気２４が送り込み可能とされている。そして、この圧縮空気２４の送り込みによれば、上記廃棄物２の酸素濃度が向上して、好気性生物が発生し、上記した無用なガスの発生が防止される。
【００５５】
なお、以上は図示の例によるが、上記送風機２６から延出する第１パイプ３０は、一旦地盤３に埋入し、その延出端をこの地盤３側から上記空間２７に開口させてもよい。
【００５６】
以下の図３，４は、実施例２，３を示している。これら実施例２，３は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００５７】
本発明をより詳細に説明するために、その実施例２を添付の図３に従って説明する。
【００５８】
図３において、遮水シート７が上、下層シート１１，１２を備えて袋形状とされ、遮水シート７の内側であるこれら上、下層シート１１，１２の間の空間１４に上記圧縮空気２４が送り込まれることとされている。
【００５９】
ここで、上記上、下層シート１１，１２の間の空間１４は密閉状とされるものである。このため、上記遮水シート７を外方に膨出させるための圧縮空気２４は、上記空間１４の外部への無用な漏出が防止されて、上記圧縮空気２４の量を必要最小限に近づけることができる。よって、その分、上記送風装置２５の送風機２６の容量を、より小さくできて、埋立て補助装置２３の構成を更に簡単にできる。
【００６０】
なお、上記の場合、送風装置２５の送風パイプ２８を上記各遮水ユニット１３の空間１４にそれぞれ個別に連結して、バルブを用いることにより、これら空間１４に圧縮空気２４を個別に選択的に送り込み可能としてもよい。
【００６１】
このようにすれば、上記遮水シート７における所望の部位の遮水ユニット１３を選択的に膨出させることができる。よって、その分、上記送風装置２５の送風機２６の容量を、更に小さくできて、埋立て補助装置２３の構成を更に簡単にできる。
【実施例３】
【００６２】
本発明をより詳細に説明するために、その実施例３を添付の図４に従って説明する。
【００６３】
図４において、法面５の上部である法面肩部５ａと、この法面肩部５ａに対面する上記遮水シート７の外縁部７ａとの間に、上記圧縮空気２４の注入によって膨張可能なチューブ３６が介設されている。
【００６４】
そして、上記埋立域４に廃棄物２を投入する場合には、上記送風装置２５により、上記遮水シート７の内側である上記チューブ３６に圧縮空気２４を送り込んで膨張させる。すると、この膨張したチューブ３６により、図４中一点鎖線で示すように上記遮水シート７が外方に膨出させられ、上記弛み７ｂが除去される。
【００６５】
ここで、上記チューブ３６内の空間は密閉状であると共に、その容積は小さいものである。このため、上記圧縮空気２４の量は少量で足りる。よって、その分、上記送風装置２５の送風機２６の容量を、更に小さくできて、埋立て補助装置２３の構成を更に簡単にできる。
【００６６】
なお、以上は図示の例によるが、上記法面５の法面傾斜面部５ｂの上端部と上記遮水シート７の外縁部７ａとの間に上記チューブ３６を介設してもよい。
【図面の簡単な説明】
【００６７】
【図１】実施例１を示し、図２の部分拡大断面図である。
【図２】実施例１を示し、廃棄物処分場の側面断面図である。
【図３】実施例２を示し、図１に相当する図である。
【図４】実施例３を示し、図１に相当する図である。
【符号の説明】
【００６８】
１    廃棄物処分場
２    廃棄物
３    地盤
４    埋立域
５    法面
５ａ  法面肩部
５ｂ  法面傾斜面部
６    底面
７    遮水シート
７ａ  外縁部
７ｂ  弛み
８    固定具
９    凹所
１１  上層シート
１２  下層シート
１３  遮水ユニット
１４  空間
１６  排水パイプ
１７  他の排水パイプ
１９  ガス
２０  ガス抜きパイプ
２３  埋立て補助装置
２４  圧縮空気
２５  送風装置
２６  送風機
２７  空間
２８  送風パイプ
３６  チューブ
Ｌ    荷重
【図１】
2010125413.tif 000003
【図２】
2010125413.tif 000004
【図３】
2010125413.tif 000005
【図４】
2010125413.tif 000006